(57)【要約】【課題】  植物を用いて、確実かつ実用的に作動する植物スイッチ装置を提供する。【解決手段】  人体が植物１０に接近又は接触したときに、その人体の近傍あるいは植物の近傍に生じた静電容量の変化を検出して制御信号を出力する検出手段７０ａと、その制御信号を受けると電源電圧を負荷９０に印加する負荷制御手段８０とを備えた。【選択図】    図１
2007115655.tif 000002
【特許請求の範囲】
【請求項１】
電源電圧を負荷に印加する負荷制御手段を備えた植物スイッチ装置であって、
人体が植物に接近又は接触したときに、前記人体の近傍、又は、前記植物の近傍に生じた静電容量の変化を検出して制御信号を出力する検出手段を備え、
前記負荷制御手段は、前記制御信号を受けると、前記電源電圧を前記負荷に印加する
ことを特徴とする植物スイッチ装置。
【請求項２】
植物，用土，容器のうちの一又は二以上に取り付けられた第一電極と、
この第一電極に交流電圧を与える交流電源と、
この交流電源の接地側端子を接地する第二電極とを備え、
前記検出手段は、前記交流電源と前記第二電極との間に接続されるとともに、人体が前記植物に接近又は接触したときに、前記人体の近傍、又は、前記植物の近傍に生じた静電容量の変化にもとづく前記交流電源と前記第二電極間の電流変化を検出する
ことを特徴とする請求項１記載の植物スイッチ装置。
【請求項３】
前記検出手段が、
前記交流電源と前記第二電極との間に流れる電流を検出する検出用抵抗器と、
前記電流の検出により前記検出用抵抗器で生じた電圧を整流するダイオードと、
このダイオードで整流された電圧を増幅し、増幅電圧として出力する増幅器と、
この増幅器からの前記増幅電圧と所定の電圧値を示す閾値電圧とを比較して、前記増幅電圧が前記閾値電圧よりも高いときに前記制御信号を出力する電圧比較器とを有した
ことを特徴とする請求項２記載の植物スイッチ装置。
【請求項４】
前記検出手段が、ブリッジ回路を有し、
このブリッジ回路が、
第一辺と、この第一辺に隣接する第二辺と、この第二辺に隣接する第三辺と、この第三辺に隣接する第四辺とを有し、
前記交流電源が、
前記ブリッジ回路の第一辺と第二辺との接続点と、第三辺と第四辺との接続点との間に接続され、
前記第一辺が、前記容器の対地静電容量を含んでおり、
前記負荷制御手段が、
前記ブリッジ回路の前記第二辺と前記第三辺との接続点に生じる電圧の変動を前記制御信号として入力すると、前記電源電圧を前記負荷に印加する
ことを特徴とする請求項１記載の植物スイッチ装置。
【発明の詳細な説明】
【技術分野】
【０００１】
本発明は、人間が植物に触れたり接近したりしたときに作動する植物スイッチ装置に関する。
【背景技術】
【０００２】
ビル等の建造物が乱立する都市空間にあって、歩道や公開空地などに植えられた植物が人間に与える影響は、想像以上に大きなものがある。例えば、癒しの効果があることは従来から注目されてきたところであり、植物を見ただけで情緒が安定して穏やかとなったり、恐れや怒りが和らげられたり、さらには疲労が取れ易くなるといった精神的効果がある。また、このような変化により血圧の低下や筋肉の弛緩、脳波上のアルファ波の増加、心拍数の減少などがみられ、心身をリラックスさせるといった効果もある。
このような精神的、身体的効果を期待して、各家庭やオフィス、店舗などでは、近年、植物を積極的に取り入れる動きが見られる。
【０００３】
ところで、植物が外部刺激に反応して生じた変化を、人間の感覚により感知可能とし、植物とのコミュニケーションを図ることができる技術が提案されている（例えば、特許文献１参照。）。
この技術は、植物が外部から刺激を受けるとその内部で生体電位が変化することに着目し、その生体電位の変化を検出し、これをトリガとしてＬＥＤやブザーなどの負荷を動作させるものである。
【特許文献１】特開平９−２７１２６３号公報
【発明の開示】
【発明が解決しようとする課題】
【０００４】
しかしながら、上述した従来技術は、いわゆる当業者が反復継続して目的とする技術効果をあげることができる程度にまで具体的・客観的なものとして構成されていないことが実験の結果、判明した。すなわち、出願人は、特許文献１に開示の内容にしたがって「植物との対話システム」の実施を試みた。
具体的には、次の手順で行った。まず、鉢植えの植物を用意し、その茎の下部と中程に電極を取り付け、それら電極間に生じる電位の測定を試みた。高増幅率の差動増幅器を用い、商用交流電力１００Ｖラインからの誘導を軽減し、その信号をオシロスコープで観察した。そして、この観察が行われている間、人が植物に接近したり遠のいたり、あるいは手を触れたり離したりすることを繰り返し行った。
その結果、オシロスコープで観察された波形は、商用交流電源からの誘導現象による５０Ｈｚの波形のみで、生体電位らしき信号は観察されなかった。
【０００５】
この原因としては、次のことが考えられる。
交流電源からの誘導は、植物全体の葉に起こっており、誘導電流ｉは、茎を伝わって流れ、鉢と地面との分布容量Ｃｅを介して地面に落ちるが、その茎には電気抵抗ｒがあるので、両電極間にはｅ＝ｉｒの誘導電圧が発生する。これにより、差動増幅器を用いた効果がなくなってしまう。
【０００６】
また、二個の電極の間には２〜３の節があり、そこには葉も２〜３枚ついているので、上部の電極に誘導する電位よりも、下部の電極に誘導する電位の方が大きくなり、その差が増幅器の入力となって増幅され、交流電源の波形しか観察されなくなってしまう。
【０００７】
このため、特許文献１に記載の技術では、人間が植物に接触して仮に生体電位が変化したとしても、室内の開放空間において交流電源からの誘導電流に妨害されることから、それを観測することは困難であると思われる。
【０００８】
本発明は、上記の事情にかんがみなされたものであり、植物を用いて確実かつ実用的に作動する植物スイッチ装置の提供を目的とする。
【課題を解決するための手段】
【０００９】
本発明の植物スイッチ装置は、植物の近傍、又は、人体の近傍に生じた静電容量の変化を利用して、上記目的を達成するようにしている。
【００１０】
すなわち、本発明の植物スイッチ装置は、電源電圧を負荷に印加する負荷制御手段を備えた植物スイッチ装置であって、人体が植物に接近又は接触したときに、人体の近傍、又は、植物の近傍に生じた静電容量の変化を検出して制御信号を出力する検出手段を備え、負荷制御手段は、制御信号を受けると、電源電圧を負荷に印加する構成としてある。
【００１１】
植物スイッチ装置をこのような構成とすれば、植物，人体，地面，交流電源などの各間の静電容量が人体と植物との接触・非接触あるいは接近・非接近にもとづき変化し、この変化にもとづきそれら各間に流れる静電誘導電流も変化することを利用して、負荷の動作を制御することができる。これにより、人間が植物に触れることで負荷を動作させることが可能となる。
【００１２】
なお、電気的変化の検出には、植物の内部又は近傍もしくは人体の内部又は近傍に生じた電気的変化を直接検出する場合と、間接的に検出する場合とが含まれる。
ここで、直接検出する場合とは、例えば上述の例でいえば静電誘導電流の変化を検出する場合をいう。これは、静電誘導電流の変化が、人体の内部又は近傍において生じる電気的な変化だからである。
一方、間接的に検出する場合とは、例えば第二電極を介して地面から高周波電源へ流れ込む戻り電流を検出する場合をいう。これは、戻り電流が、人体又は植物の近傍で静電容量という電気的な量が変化したことにともない変化する電気的な量だからである。
【００１３】
また、本発明の植物スイッチ装置は、植物，用土，容器のうちの一又は二以上に取り付けられた第一電極と、この第一電極に交流電圧を与える交流電源と、この交流電源の接地側端子を接地する第二電極とを備え、検出手段を、交流電源と第二電極との間に接続されるとともに、人体が植物に接近又は接触したときに、人体の近傍、又は、植物の近傍に生じた静電容量の変化にもとづく交流電源と第二電極間の電流変化を検出する構成とすることができる。
【００１４】
植物スイッチ装置をこのような構成とすると、第二電極から交流電源へ流れる電流が、人体と植物との接触・非接触あるいは接近・非接近により変化するため、これを利用して、負荷を動作させることができる。
なお、本発明における第二電極は、交流電源の接地側端子を直接接地するものと、検出手段などを介在して接地する場合とを含む。
【００１５】
また、本発明の植物スイッチ装置は、検出手段を、交流電源と第二電極との間に流れる電流を検出する検出用抵抗器と、電流の検出により検出用抵抗器で生じた電圧を整流するダイオードと、このダイオードで整流された電圧を増幅し、増幅電圧として出力する増幅器と、この増幅器からの増幅電圧と所定の電圧値を示す閾値電圧とを比較して、増幅電圧が閾値電圧よりも高いときに制御信号を出力する電圧比較器とを有した構成とすることができる。
【００１６】
植物スイッチ装置をこのような構成とすれば、第二電極と交流電源との間に流れる電流の変化を検出し、この検出にもとづき負荷を確実に動作させることができる。
【００１７】
また、本発明の植物スイッチ装置は、検出手段が、ブリッジ回路を有し、このブリッジ回路が、第一辺と、この第一辺に隣接する第二辺と、この第二辺に隣接する第三辺と、この第三辺に隣接する第四辺とを有し、交流電源が、ブリッジ回路の第一辺と第二辺との接続点と、第三辺と第四辺との接続点との間に接続され、第一辺が、容器の対地静電容量を含んでおり、負荷制御手段が、ブリッジ回路の第二辺と第三辺との接続点に生じる電圧の変動を制御信号として入力すると、電源電圧を負荷に印加する構成とすることができる。
【００１８】
植物スイッチ装置をこのような構成とすれば、検出手段がブリッジ回路で構成された場合でも、人体が植物に接近又は接触することで生じた電気的変化を検出し、この検出にもとづき負荷を動作させることができる。
【発明の効果】
【００１９】
以上のように、本発明によれば、人体が植物に接近又は接触したときに、検出手段は、その接近又は接触にもとづいて生じた電気的変化を検出でき、負荷制御手段は、その電気的変化が検出されると負荷を動作させることができる。
【発明を実施するための最良の形態】
【００２０】
以下、本発明に係る植物スイッチ装置の好ましい実施形態について、図面を参照して説明する。
【００２１】
［第一実施形態］
まず、本発明の植物スイッチ装置の第一実施形態について、図１を参照して説明する。
同図は、本実施形態の植物スイッチ装置の構成を示すブロック図である。
【００２２】
同図に示すように、植物スイッチ装置１ａは、植物１０と、用土２０と、容器３０と、第一電極４０と、高周波電源５０と、第二電極６０と、検出手段７０ａと、負荷制御手段８０と、負荷９０とを備えている。
植物１０は、従来公知の任意好適な植物を用いることができ、特定の種類に限定されるものではない。
用土２０とは、植物１０を植えるための土をいう。この用土２０には、例えば、培養土や改良用土など、栽培する植物１０に合わせて土壌や肥料が調合された土を含む。さらに、用土２０には、培養土等に配合される赤玉土、鹿沼土、腐葉土、パーライトなどが含まれる。この用土２０についても、特定の種類に限定されるものではない。
【００２３】
容器３０は、用土２０を入れる器であって、具体的には、例えば鉢（ポット）やプランタなどが含まれる。この容器３０には、用土２０とともに石や砂利などを入れることができ、さらに、そこに植物１０が植えられる。
この容器３０の形状は、特に限定されるものではない。
また、材質についても、炭，素焼き，プラスチック，陶器，ガラス，紙，石，木など任意の材質で形成することができる。
なお、容器３０は、図１に示すように、テーブル上に乗せるとともに、プラスチック製の皿などを敷き床面に対して充分な電気的絶縁を保ち、床面から離した位置に設置するのが望ましい。
【００２４】
第一電極４０は、植物１０，用土２０，容器３０のうちの一つ又は二つ以上に取り付けられており、高周波電源５０の電圧印加側端子に接続されている。この第一電極４０は、例えば、導電性材料で形成することができる。
高周波電源（交流電源）５０は、第一電極４０に高周波電圧を印加する。この高周波電源５０は、例えば周波数５０ｋＨｚ、電圧１０Ｖの高周波を出力することができる。ここで、周波数５０ｋＨｚとしたのは、商用電源の５０Ｈｚからの干渉をなくすために、それよりも充分に高い周波数としたためである。
【００２５】
第二電極６０は、床面に置かれたアース板６１（例えば、アルミ箔など）に取り付けられている。そして、第二電極６０は、検出手段７０ａを介して高周波電源５０の接地側端子に接続されている。
アース板６１は、わざわざ床面に設置しなくても電流検出手段７０ａ、負荷制御手段８０および負荷９０の電源装置の内部静電容量を介して地面に接地されることを応用してもよい。
【００２６】
検出手段７０ａは、高周波電源５０の接地側端子と第二電極６０との間に接続されており、それら高周波電源５０と第二電極６０との間で生ずる電気的変化を検出する。
具体的には、アース板６１と地面の間の静電容量Ｃｇを介して地面から高周波電源５０へ向かって流れ込む戻り電流を検出する。
【００２７】
この検出手段７０ａの具体的な回路構成を図２に示す。
同図に示すように、検出手段７０ａは、電流検出用抵抗器Ｒ１と、検出用ダイオードＤ１と、小容量コンデンサＣ１と、ゲイン調整用可変抵抗器Ｒ２と、増幅器Ａ１と、電圧比較器Ａ２とを有している。
【００２８】
ここで、電流検出用抵抗器（検出用抵抗器）Ｒ１は、戻り電流を検出する。
この検出により電流検出用抵抗器Ｒ１の両端に発生する電圧ＶＲ１は、図３に示すようになる。すなわち、人体が植物１０に接近又は接触していないときは、小さい振幅の波形となり（同図（ａ））、一方、人体が植物１０に接近又は接触すると、大きい振幅の波形となる（同図（ｂ））。
この電流検出用抵抗器Ｒ１の抵抗値は、例えば、１０ｋΩとすることができる。
【００２９】
検出用ダイオードＤ１は、電流検出用抵抗器Ｒ１で検出された電圧ＶＲ１を整流する。この検出用ダイオードＤ１の両端の電圧ＶＤ１は、図４に示すようになる。すなわち、人体が植物１０に接近又は接触したときの電圧（同図（ｂ／２））が、接近又は接触していないときの電圧（同図（ａ／２））に比べて大きくなる。
なお、本実施形態においては、図３及び図４に示したように、検出用ダイオードＤ１にて電圧ＶＲ１を整流する構成としてあるが、その整流は半波整流に限るものではない。すなわち、ここでは、検出した交流信号を直流に変換することが目的であるため、整流の手段は、例えば全波整流、倍電圧整流、ブリッジ整流などであってもよい。
【００３０】
結合用の小容量コンデンサＣ１は、高周波のみを通すコンデンサであって、検出用ダイオードＤ１で整流して得られた直流成分を電流検出用抵抗器Ｒ１に逆戻りするのを阻止するとともに、電圧ＶＤ１を平滑化する。
【００３１】
ゲイン調整用可変抵抗器Ｒ２は、増幅器Ａ１のゲインを調整する。このゲイン調整用可変抵抗器Ｒ２を備えることで、増幅器Ａ１から出力された電圧ＶＡ１における（ａ／２）’と（ｂ／２）’との間に基準電圧（閾値電圧）Ｖｓがくるように調整することができる（図５参照）。
増幅器Ａ１は、ゲイン調整用可変抵抗器Ｒ２で調整されたゲインにしたがって、電圧ＶＤ１を増幅し、増幅電圧ＶＡ１として出力する。
なお、基準電圧Ｖｓは、人体が植物１０に接近又は接触していないときの増幅電圧ＶＡ１を記憶保持したものを利用してもよい。
【００３２】
電圧比較器Ａ２は、基準電圧Ｖｓと、増幅器Ａ１からの増幅電圧ＶＡ１とを比較する。これら比較される電圧の波形を図５に示す。
比較の結果、増幅電圧ＶＡ１が基準電圧Ｖｓよりも高いとき、すなわち増幅電圧ＶＡ１が（ｂ／２）’のときは、電圧比較器Ａ２から制御信号ＶＡ２が出力される。
一方、増幅電圧ＶＡ１が基準電圧Ｖｓよりも低いとき、すなわち増幅電圧ＶＡ１が（ａ／２）’のときは、電圧比較器Ａ２から制御信号ＶＡ２は出力されない。
【００３３】
負荷制御手段８０は、検出手段７０ａからの制御信号にもとづいて負荷９０の動作を制御する手段であって、リレードライバ８１と、リレー８２とを有している。
リレードライバ８１は、電圧比較器Ａ２からの制御信号ＶＡ２にもとづいてリレー７２の動作時間を調整する。
このリレードライバ８１の動作を図６に示す。同図に示すように、リレードライバ８１は、制御信号ＶＡ２を受けると動作制御信号の出力を開始し（同図（ｓ））、所定時間（Ｔ）が経過するまで、その動作制御信号を出力し続ける。そして、所定時間Ｔの経過後（同図（ｅ））、動作制御信号の出力を停止する。
リレー８２は、リレードライバ８１から動作制御信号が送られてくる間、電源からの電圧を負荷９０へ印加する。
【００３４】
負荷９０は、所定の電圧を印加することで一定の動作をする電気部品である。
この負荷９０は、例えば、可聴出力や可視出力などの人間の五感で感知可能な出力を行うものを使用できる。
ここで、可聴出力の具体例としては、例えば、植物１０からのメッセージを模した音声、人間や動物の声，風の音，水の音等を記録した記憶媒体によるもの、電子技術による合成音声によるもの、楽器の音や音楽によるもの、ブザーやチャイムによるもの、電子オルゴールによるもの、ＳＬの音や船の汽笛等の擬音によるものなどが挙げられる。
【００３５】
一方、可視出力の具体例としては、例えば、発光ダイオード，豆電球等の発光体を適宜並べておき、これらの全部又は一部を点灯又は点滅させるもの、液晶ディスプレイやプラズマディスプレイなどの表示装置に静止画や動画を表示させるものなどが挙げられる。
さらに、これら負荷９０は、植物と一体的に設置することが望ましい。例えば、図７に示すように、ＬＥＤなどの発光体がほぼ等間隔に配置された電飾コードを植物１０のほぼ全体に行き渡るように枝や葉などに取り付けてこれを点滅させたり、植物１０の幹などにスピーカを取り付けて音声を出力させたりすることができる。
【００３６】
次に、本実施形態の植物スイッチ装置の動作について、図１を参照して説明する。
なお、同図に示すように、植物１０（葉）と人体（手）との間の静電容量をＣｈｌ、容器３０と人体（胴体）との間の静電容量をＣｓｂ、容器３０とアース板６１との間の静電容量をＣｓｇ、人体と地面（ＧＮＤ）との間の静電容量をＣｂｇ、地面とアース板６１との間の静電容量をＣｇとする。
【００３７】
高周波電源５０が起動され、この高周波電源５０から第一電極４０に高周波電圧Ｖｈｆが印加される。
人体が植物１０に接近又は接触していない状態では、検出手段７０ａにて、ベース電圧（図３の電圧ａ）が検出される。
【００３８】
その後、人体が植物１０に接近又は接触すると、その植物１０（葉）と人体（手）との間の静電容量Ｃｈｌを介して人体に静電誘導電流が流れ、これが、さらに人体と地面との静電容量Ｃｂｇを通して地面に流れ込む。
そして、アース板６１と地面との間の静電容量Ｃｇを介して地面から高周波電源５０へ戻り電流が流れ込む。
【００３９】
検出手段７０ａの電流検出用抵抗器Ｒ１では、戻り電流が検出され、電圧ＶＲ１が発生する。その電圧ＶＲ１は、人体が植物１０に接近又は接触していない状態では、図３で電圧ａとして示したように小さい振幅の波形となり、一方、人体が植物１０に接近又は接触している状態では、図３で電圧ｂとして示したように大きい振幅の波形となる。すなわち、電圧ｂは、電圧ａよりも大きい電圧値となる。
そのＶＲ１は、検出用ダイオードＤ１で整流され、小容量コンデンサＣ１で平滑される（図４参照）。整流された後の電圧ＶＤ１は、ゲイン調整用可変抵抗器Ｒ２で調整されたゲインにもとづき、増幅器Ａ１で増幅され、増幅電圧ＶＡ１として出力される。
【００４０】
電圧比較器Ａ２にて、増幅器Ａ１からの増幅電圧ＶＡ１と基準電圧Ｖｓとが比較される（図５参照）。ここで、増幅電圧ＶＡ１が基準電圧Ｖｓよりも高い値のときは、電圧比較器Ａ２から制御信号ＶＡ２が出力される。一方、増幅電圧ＶＡ１が基準電圧Ｖｓよりも低い値のときは、電圧比較器Ａ２から制御信号ＶＡ２は出力されない。
【００４１】
電圧比較器Ａ２から出力された制御信号ＶＡ２は、負荷制御手段８０のリレードライバ８１へ送られ、その制御信号ＶＡ２の入力とともに動作制御信号がリレー８２へ送られる。
リレー８２では、リレードライバ８１から動作制御信号が送られてくる間（図６のＴ）、電源の電圧が負荷９０に印加される。これにより、負荷９０が所定の動作を行う。
【００４２】
以上のように、本実施形態の植物スイッチ装置は、人体が植物に接近又は接触すると、第二電極から高周波電源に流れ込む戻り電流の値が変化することを利用して、負荷の動作をＯＮ／ＯＦＦ制御することができる。
ここで、戻り電流が変化するのは、人体が植物に接近又は接触している場合としていない場合とで、静電誘導電流（戻り電流）が流れるための回路構成が相違するからである。
【００４３】
例えば、人体が植物に接近又は接触していない場合の回路構成は、高周波電源５０−第一電極４０−容器３０−静電容量Ｃｓｇ−アース板６１−第二電極６０−検出手段７０ａ−高周波電源５０となる。
一方、人体が植物に接近又は接触している場合の回路構成は、上述の回路構成に、さらに、第一電極４０−植物１０−静電容量Ｃｈｌ−人体−静電容量Ｃｂｇ−静電容量Ｃｇ−アース板６１という経路が加わった回路構成となる。なお、この場合は、静電容量Ｃｓｂも影響する。
【００４４】
このように静電誘導電流（戻り電流）が流れるための回路構成がそれぞれ相違することから、検出手段では、人体が植物に接近又は接触している場合としていない場合とで異なった値の戻り電流を検出できる。これにより、人間が植物に接近又は接触したことを、検出手段が確実に検出して負荷を動作させることができる。
【００４５】
［第二実施形態］
次に、本発明の植物スイッチ装置の第二実施形態について、図８を参照して説明する。
同図は、本実施形態の植物スイッチ装置の構成を示す回路図である。
本実施形態は、第一実施形態と比較して、検出手段の構成が相違する。すなわち、第一実施形態では、検出用抵抗器により戻り電流を検出し、検出用ダイオードにより検出電圧を整流し、増幅器により増幅し、電圧比較器により戻り電流が変化したことを検出して、リレー等により負荷を動作させる構成としたのに対し、本実施形態では、ブリッジ回路により戻り電流の変化を検出する構成とする。他の構成要素は第一実施形態と同様である。
したがって、図８において、図１等と同様の構成部分については同一の符号を付して、その詳細な説明を省略する。
【００４６】
図８に示すように、本実施形態の植物スイッチ装置１ｂは、植物１０と、用土２０と、容器３０と、第一電極４０と、検出手段７０ｂと、負荷制御手段８０と、負荷９０とを備えている。
ここで、検出手段７０ｂは、ブリッジ回路７２（ＣＲ交流ブリッジ回路）を有している。
【００４７】
ブリッジ回路７２は、容器３０の対地静電容量であるＣｓが組み込まれた第一辺、抵抗Ｒｂ１が接続された第二辺、抵抗Ｒｂ２が接続された第三辺、固定のスタンダード容量であるコンデンサＣｂ１が接続された第四辺を有している。
このブリッジ回路７２の平衡条件は、Ｃｂ１・Ｒｂ２＝Ｃｓ・Ｒｂ１となる。
なお、植物の個数や大きさによる変化があるため、抵抗Ｒｂ１又はＲｂ２のいずれかを可変抵抗器で構成して平衡させ、ベース電流を抑制することができる。
【００４８】
また、ブリッジ回路７２においては、第一辺と第二辺との接続点をａ１２、第二辺と第三辺との接続点をａ２３、第三辺と第四辺との接続点をａ３４、第四辺と第一辺との接続点をａ４１とする。
さらに、点ａ１２と点ａ３４との間には、交流電源Ｓが接続されている。
そして、点ａ１２は、第一電極４０に接続され、点ａ２３は、負荷制御手段８０に接続され、点４１は、接地されている。
【００４９】
負荷制御手段（変動検出回路）８０は、ブリッジ回路７２の第二辺と第三辺との接続点である点ａ２３に生じる電圧ｅの変動を検出する。
この負荷制御手段８０の構成は、第一実施形態における負荷制御手段８０の構成と同様とすることができる。すなわち、第一実施形態における制御信号ＶＡ２が電圧ｅに相当し、その電圧ｅが変動（発生）してこの電圧ｅが入力されるとリレードライバ８１が動作制御信号をリレー８２へ送る。
リレー８２では、リレードライバ８１から動作制御信号が送られてくる間（図６のＴ）、電源の電圧が負荷９０に印加される。これにより、負荷９０が所定の動作を行う。
【００５０】
次に、本実施形態の植物スイッチ装置の動作について、図８を参照して説明する。
人体が植物１０に接近又は接触していないときは、ブリッジ回路７２は平衡状態となり、点ａ２３では電圧ｅは０となる。このため、負荷制御手段８０は動作せず、負荷９０も動作しない。
【００５１】
一方、人体が植物１０に接近又は接触したときは、人体（手）と植物１０（葉）との間の静電容量ＣｈがＣｓに加算され、ブリッジ回路７２の平衡状態が崩れる。これにより、電圧ｅが不平衡電圧として現われ、これが接触検出電圧となり、負荷制御手段８０の制御により負荷９０が動作する。
【００５２】
以上説明したように、本実施形態の植物スイッチ装置によれば、検出手段をブリッジ回路で構成した場合でも、人体が植物に接近又は接触したことを確実に検出して負荷を動作させることができる。
特に、本実施形態の植物スイッチ装置は、検出手段をブリッジ回路で構成したため、ベース電流を含まない変化分すなわち手の接近接触だけによる電圧を抽出可能となり、電源電圧や周囲温度の変化によるスイッチング動作点の僅かな変化は無視し得るようになる。
【００５３】
以上、本発明の植物スイッチ装置の好ましい実施形態について説明したが、本発明に係る植物スイッチ装置は上述した実施形態にのみ限定されるものではなく、本発明の範囲で種々の変更実施が可能であることは言うまでもない。
例えば、上述した実施形態では、植物、第一電極、第二電極、高周波電源、検出手段、負荷制御手段、負荷等をそれぞれ一つずつ備えた構成としてあるが、それらは一つずつに限るものではなく、それぞれ複数備えることもできる。
【産業上の利用可能性】
【００５４】
本発明は、人体が植物に接近又は接触することで負荷を動作させる発明であるため、負荷を電飾（ＬＥＤなど）とした場合の植物の装飾器具、負荷を音声出力装置とした場合の出力制御装置、負荷をモータとした場合の駆動制御装置などに利用可能である。
【図面の簡単な説明】
【００５５】
【図１】本発明の第一実施形態の植物スイッチ装置の構成を示す概略図である。
【図２】第一実施形態の植物スイッチ装置における検出手段の構成を示す回路図である。
【図３】検出手段の電流検出用抵抗器において戻り電流が検出されたときの波形を示す波形図である。
【図４】電流検出用抵抗器で発生した電圧を整流した波形を示す波形図である。
【図５】図４に示した電圧を増幅した波形を示す波形図である。
【図６】リレードライバから出力される信号の経時変化を示す波形図である。
【図７】負荷が取り付けられた植物の状態を示す外観正面図である。
【図８】本発明の第二実施形態の植物スイッチ装置の構成を示す回路図である。
【符号の説明】
【００５６】
１ａ、１ｂ  植物スイッチ装置
１０  植物
２０  用土
３０  容器
４０  第一電極
５０  高周波電源
６０  第二電極
７０ａ、７０ｂ  検出手段
７２  ブリッジ回路
８０  負荷制御手段
８１  リレードライバ
８２  リレー
９０  負荷
Ｒ１  電流検出用抵抗器
Ｄ１  検出用ダイオード
Ａ１  増幅器
Ａ２  電圧比較器
【図１】
2007115655.tif 000003
【図２】
2007115655.tif 000004
【図３】
2007115655.tif 000005
【図４】
2007115655.tif 000006
【図５】
2007115655.tif 000007
【図６】
2007115655.tif 000008
【図７】
2007115655.tif 000009
【図８】
2007115655.tif 000010
【手続補正書】
【提出日】平成18年12月20日(2006.12.20)
【手続補正１】
【補正対象書類名】特許請求の範囲
【補正対象項目名】全文
【補正方法】変更
【補正の内容】
【特許請求の範囲】
【請求項１】
電源電圧を負荷に印加する負荷制御手段を備えた植物スイッチ装置であって、
植物，用土，容器のうちの一又は二以上に取り付けられた第一電極と、
この第一電極に交流電圧を与える交流電源と、
この交流電源の接地側端子を接地する第二電極と、
前記交流電源と前記第二電極との間に接続されるとともに、人体が植物に接近又は接触したときに、前記人体の近傍、又は、前記植物の近傍に生じた静電容量の変化にもとづく前記交流電源と前記第二電極間の電流変化を検出して制御信号を出力する検出手段とを備え、
前記負荷制御手段は、前記制御信号を受けると、前記電源電圧を前記負荷に印加する
ことを特徴とする植物スイッチ装置。
【請求項２】
前記検出手段が、
前記交流電源と前記第二電極との間に流れる電流を検出する検出用抵抗器と、
前記電流の検出により前記検出用抵抗器で生じた電圧を整流するダイオードと、
このダイオードで整流された電圧を増幅し、増幅電圧として出力する増幅器と、
この増幅器からの前記増幅電圧と所定の電圧値を示す閾値電圧とを比較して、前記増幅電圧が前記閾値電圧よりも高いときに前記制御信号を出力する電圧比較器とを有した
ことを特徴とする請求項１記載の植物スイッチ装置。
【請求項３】
電源電圧を負荷に印加する負荷制御手段を備えた植物スイッチ装置であって、
人体が植物に接近又は接触したときに、前記人体の近傍、又は、前記植物の近傍に生じた静電容量の変化を検出して制御信号を出力する検出手段を備え、
この検出手段が、ブリッジ回路を有し、
このブリッジ回路が、
第一辺と、この第一辺に隣接する第二辺と、この第二辺に隣接する第三辺と、この第三辺に隣接する第四辺とを有し、
交流電源が、
前記ブリッジ回路の第一辺と第二辺との接続点と、第三辺と第四辺との接続点との間に接続され、
前記第一辺が、前記植物の植えられた容器の対地静電容量を含んでおり、
前記負荷制御手段が、
前記ブリッジ回路の前記第二辺と前記第三辺との接続点に生じる電圧の変動を前記制御信号として入力すると、前記電源電圧を前記負荷に印加する
ことを特徴とする植物スイッチ装置。
【手続補正２】
【補正対象書類名】明細書
【補正対象項目名】００１０
【補正方法】変更
【補正の内容】
【００１０】
すなわち、本発明の植物スイッチ装置は、電源電圧を負荷に印加する負荷制御手段を備えた植物スイッチ装置であって、植物，用土，容器のうちの一又は二以上に取り付けられた第一電極と、この第一電極に交流電圧を与える交流電源と、この交流電源の接地側端子を接地する第二電極と、交流電源と第二電極との間に接続されるとともに、人体が植物に接近又は接触したときに、人体の近傍、又は、植物の近傍に生じた静電容量の変化にもとづく交流電源と第二電極間の電流変化を検出して制御信号を出力する検出手段とを備え、負荷制御手段は、制御信号を受けると、電源電圧を負荷に印加する構成としてある。
【手続補正３】
【補正対象書類名】明細書
【補正対象項目名】００１２
【補正方法】変更
【補正の内容】
【００１２】
なお、電気的変化の検出には、植物の内部又は近傍もしくは人体の内部又は近傍に生じた電気的変化を直接検出する場合と、間接的に検出する場合とが含まれる。
ここで、直接検出する場合とは、例えば上述の例でいえば静電誘導電流の変化を検出する場合をいう。これは、静電誘導電流の変化が、人体の内部又は近傍において生じる電気的な変化だからである。
【手続補正４】
【補正対象書類名】明細書
【補正対象項目名】００１３
【補正方法】変更
【補正の内容】
【００１３】
一方、間接的に検出する場合とは、例えば第二電極を介して地面から高周波電源へ流れ込む戻り電流を検出する場合をいう。これは、戻り電流が、人体又は植物の近傍で静電容量という電気的な量が変化したことにともない変化する電気的な量だからである。
【手続補正５】
【補正対象書類名】明細書
【補正対象項目名】００１４
【補正方法】変更
【補正の内容】
【００１４】
さらに、植物スイッチ装置をこのような構成とすると、第二電極から交流電源へ流れる電流が、人体と植物との接触・非接触あるいは接近・非接近により変化するため、これを利用して、負荷を動作させることができる。
なお、本発明における第二電極は、交流電源の接地側端子を直接接地するものと、検出手段などを介在して接地する場合とを含む。
【手続補正６】
【補正対象書類名】明細書
【補正対象項目名】００１７
【補正方法】変更
【補正の内容】
【００１７】
また、本発明の植物スイッチ装置は、電源電圧を負荷に印加する負荷制御手段を備えた植物スイッチ装置であって、人体が植物に接近又は接触したときに、人体の近傍、又は、植物の近傍に生じた静電容量の変化を検出して制御信号を出力する検出手段を備え、この検出手段が、ブリッジ回路を有し、このブリッジ回路が、第一辺と、この第一辺に隣接する第二辺と、この第二辺に隣接する第三辺と、この第三辺に隣接する第四辺とを有し、交流電源が、ブリッジ回路の第一辺と第二辺との接続点と、第三辺と第四辺との接続点との間に接続され、第一辺が、植物の植えられた容器の対地静電容量を含んでおり、負荷制御手段が、ブリッジ回路の第二辺と第三辺との接続点に生じる電圧の変動を制御信号として入力すると、電源電圧を負荷に印加する構成とすることができる。